(57)【特許請求の範囲】
【請求項１】
本体部に対して蓋部が開閉可能に取り付けられ、この蓋部の内面側に釦電池を収納する電池収納部が設けられて成る電子機器において、
上記蓋部に、上記電池収納部を開閉する電池蓋が起伏回動可能に取り付けられ、この電池蓋の回動自由端部側には、上記本体部に対して上記蓋部を閉じた状態で、上記本体部側に設けられた係合部に係合して上記電池蓋の開放を阻止する阻止部が設けられていることを特徴とする電子機器。
【請求項２】
上記本体部には、その周縁に固定される飾り枠が設けられ、この飾り枠の一部に、上記係合部として凹部が形成されていることを特徴とする請求項１に記載の電子機器。
【請求項３】
上記電池蓋の回動自由端部側には、上記蓋部の内面側に当接する当接面部を有し、この当接面部に上記蓋部の内面側に設けられた係合片と係合する係合突縁が設けられ、この係合突縁が上記係合片に係合保持されることにより、上記電池蓋が閉じた状態で保持されることを特徴とする請求項１に記載の電子機器。
【発明の詳細な説明】
【０００１】
【産業上の利用分野】
本発明は例えはラジオ付きテープカセットプレーヤ等の電子機器に関する。
【０００２】
【従来の技術】
従来、例えば携帯用ラジオ付きテープカセットプレーヤにおいては、ラジオ等のメモリーのバックアップ等に用いられる電池が駆動電源用電池とは別個に収納されている。
【０００３】
この電池はリチウム電池等の釦型電池で、電池収納部の接点端子基板上に電池をセットし、電池蓋を閉じることによって収納保持するように構成されている。
【０００４】
【発明が解決しようとする課題】
ところで、このような電子機器としての携帯用ラジオ付きテープカセットプレーヤにおいては、携帯時においては搖動したり、また不要に落下させて衝撃を与えることが多く、このため電池蓋が開いて電池収納から電池が飛び出し、テープカセットの交換等においてカセット蓋を開けたとき外部に落下して紛失するおそれがある。
【０００６】
本発明はかかる点に鑑みてなされたもので、電池収納部の電池蓋の不要な開きを防止して電池を確実に保持できるようにした電子機器を提供することを目的とする。
【０００７】
【課題を解決するための手段】
上記目的を達成するために本発明は、
本体部に対して蓋部が開閉可能に取り付けられ、この蓋部の内面側に釦電池を収納する電池収納部が設けられて成る電子機器において、
蓋部に、電池収納部を開閉する電池蓋が起伏回動可能に取り付けられ、この電池蓋の回動自由端部側には、本体部に対して蓋部を閉じた状態で、本体部側に設けられた係合部に係合して電池蓋の開放を阻止する阻止部が設けられた構造としたものである。
【０００８】
この電子機器において本体部には、その周縁に固定される飾り枠が設けられ、この飾り枠の一部に、上記係合部として凹部が形成されている構造とする。
また電池蓋の回動自由端部側には、蓋部の内面側に当接する当接面部を有し、この当接面部に蓋部の内面側に設けられた係合片と係合する係合突縁が設けられ、この係合突縁が係合片に係合保持されることにより、電池蓋が閉じた状態で保持される構造とする。
【０００９】
【作用】
本発明によれば、本体部に対して蓋部が閉じられている状態では電池蓋は開放されず電池の飛び出し落下が防止される。
【００１１】
【実施例】
以下、本発明の実施例を図面を参照して説明するに、本例は、本発明をラジオ付き携帯用テープカセットプレーヤに適用した場合の一例である。
【００１２】
図において、１はラジオ付き携帯用テープカセットプレーヤの全体を示し、本体部２と、記録及び／又は再生部（以下、単に記録・再生部という）３と、ラジオチューナを備えたカセット蓋部４とから構成されている。
【００１３】
本体部２は、内面側がテープカセットＣの収納部２ａとなされ、テープ走行駆動機構としてのハブ駆動軸５ａ，５ｂとキャプスタン６ａ，６ｂとカセット位置決めピン７ａ，７ｂが配設されている。
【００１４】
記録・再生部３はフレーム３ａの略中央部に、記録及び／又は再生ヘッド８を取付け、このヘッド８を挟んで両側に消去ヘッド又はテープガイドを取付け、さらに、その外側、即ち、カセット収納部２ａに配設されたキャプスタン６ａ，６ｂに対応するピンチローラ１０ａ，１０ｂを取付けて構成されており、フレーム３ａはカセット収納部２ａの後縁部の両側に配設されたブラケット１１ａ，１１ｂに支点軸１２ａ，１２ｂにより軸支されている。また、ブラケット１１ａ，１１ｂにはフレーム３ａの倒伏回動時の位置決め１１ａ1 ，１１ｂ2 を形成してある。
【００１５】
この記録・再生部３のフレーム３ａの両側にはカセットホルダ１３ａ，１３ｂが固定されている。このカセットホルダ１３ａ，１３ｂはアルミニウムダイカストにより成形した基体１３ａ1 ，１１３ｂ1 に、一方側の基体１３ａ1 には正面略コ字状の保持枠１３ａ2 を、他方側の基体１３ｂ1 には正面略Ｌ字状の保持枠１３ｂ2 を固定して構成されており、基体１３ａ1 ，１３ｂ1 においてフレーム３ａの両側面にねじ１４によって固定してある。
【００１６】
このカセットホルダ１３ａ，１３ｂの基体１３ａ1 ，１３ｂ1 に、その外側面側の前述したフレーム３ａのブラケット１１ａ，１１ｂに対する軸支部から所要間隔で離れた部位においてカセット蓋部４を軸着してある。
【００１７】
このカセット蓋部４は上面部４ａの周縁に周面部、即ち、前後面部４ｂ，４ｃ及び両側面部４ａ，４ｅを形成した匣体状で、両側面部４ｄ，４ｅの後端部において前述したカセットホルダ１３ａ，１３ｂの基体１３ａ1 ，１３ｂ1 に軸着してある。
【００１８】
また、本体部２とカセット蓋体４とは互いに回動可能に連結されたリンク部材１４ａ，１４ｂにより一側面部の略中央部において連結されて、この本体部２とカセット蓋部４との間の開き角度を規制している。
【００１９】
また、カセット蓋部４は本体部２に対して閉じた状態でロック機構１５によりロックされる。このロック機構１５は本体部２の前壁部側に備えられる回転ロック板１６と摺動ロック板１７から成るロック部材１５ａと、カセット蓋部４の前面部４ｂに固定される係合体１８から成る被ロック部材１５ｂとから構成されて、本体部２に対してカセット蓋部４を閉じることによりカセット蓋部４側の係合体１８に対して本体部２側の回転ロック板１６のフック部１６ａが上方から回転係合し、摺動ロック板１７のフック部１７ａが横方向から摺動係合することによりロックされる。
【００２０】
また、このロックの解除は、本体部２の前壁部の前面側に取付けられ、摺動ロック板１７に連結される摺動つまみ１９を摺動操作することにより、摺動ロック板１７が摺動されると共にこれに伴い回転ロック板１６が回転されてロックが解除される。
【００２１】
このように本体部２に取付けられるカセット蓋部４の内面側にラジオチューナ２１が内蔵されている。即ち、上面部４ａの内面にチューナ回路マウント基板２２が固定され、この基板２２をチューナカバー２３により覆っている。
【００２２】
そして、回路蓋部４の内面側のチューナ２１の一側部に位置してラジオ等のメモリーのバックアップ等に用いられる電池の収納部２４が配設されている。これに用いられる電池はリチウム電池等の偏平な釦電池２５であって、電池蓋２６に挿入保持させた状態で、この電池蓋２６を閉じることによって釦電池２５を電源回路基板２７の正負接点端子２８ａ，２８ｂに当接させるようになっている。
【００２３】
この釦電池２５を挿入保持する電池蓋２６は偏平状で主板部２６ａの基端部（後端部）側に一対の平行なアーム片２９ａ，２９ｂを延設して、このアーム片２９ａ，２９ｂをカセット蓋部４の上面部４ａの内面に突設した軸支片３０ａ，３０ｂに軸支することによりカセット蓋部４に対して起伏可能に取付けられる。
【００２４】
この電池蓋２６は主板部２６ａの両縁部の内面側には側壁部３１ａ，３１ｂを形成して、この両側壁部３１ａ，３１ｂの端面から内方に水平に支持面部３２ａ，３２ｂを突設して電池挿入部２６ｂを形成すると共に、両側壁部３１ａ，３１ｂの後部内面側に位置決め部３１ａ1 ，３１ｂ1 を形成してある。
【００２５】
そして、この電蓄蓋２６の両側壁部３１ａ，３１ｂの前部内面側、詳しくは両側壁部３１ａ，３１ｂのと両支持面部３２ａ，３２ｂとの間の内角部に突縁部３３ａ，３３ｂを突出形成して、釦電池２５の正負反転した誤挿入を防止するようにしてある。即ち、この電池蓋２６の両側壁部３１ａ，３１ｂ間に釦電池２５を、その正極面２５ａ側を外側にして挿入しようとするときは、この正極面２５ａ側は負極面２５ｂ側より大径であるため突縁部３３ａ，３３ｂに突当り挿入不能になる。
【００２６】
また、この電池蓋２６の回動自由端部である前端部には、カセット蓋部４の上面部４ａの内面側前部に当接する当接面部３４を形成し、この当接面部３４から本体部面の前部にかけて所要間隔で平行のスリット３５ａ，３５ｂを切削して弾性部面３４ａを形成すると共に、この弾性部面３４ａをカセット蓋部４の前面部４ｂの内面側と対向するように延長して阻止部である爪掛部３４ａ１を形成し、この爪掛部３４ａ１に横方向に係合突縁３４ａ２を形成してあり、この係合突縁３４ａ２をカセット蓋部４の前面部４ｂの端縁内側に突出形成した係合片３６に係合することにより電池蓋２６はカセット蓋部に対して閉じた状態で保持されるようになっている。
【００２７】
一方、本体部２の前壁部の端縁面、詳しくは本体部２の周縁に固定される飾り枠４１の前側部４１ａの一側部上面に、前述した電池蓋２６の弾性部面３４ａの爪掛部３４ａ1 に対応して係合部４２を形成してあり、本例においてはこの係合部４２は凹部４３により形成されるもので、この凹部４３の内側縁部を爪掛部３４ａ1 の内面側、即ち、係合突縁３４ａ2 を形成した面と反対側の面に対応する高さに形成することにより係合部として形成してある。
【００２８】
このように構成される電池蓋２６はカセット蓋部４を開いた状態で弾性部面３４ａの爪掛部３４ａ1 を引いて係合突縁３４ａ2 をカセット蓋部４側の係合片３６から離し、後部のアーム片２９ａ，２９ｂの軸支部を支点として回動することによって開かれる。この状態で内面側の両側壁部３１ａ，３１ｂと両支持面部３２ａ，３２ｂによって形成される挿入部に釦電池２５を挿入する。
【００２９】
この釦電池２５の挿入は、前述した如く、正極面２５ａを電池蓋２６の主板部２６ａの内面に摺接するように挿入する。これを逆にして挿入するときはと、大径の正極面２５ａの周縁が突縁部３３ａ，３３ｂに突当り全体の挿入が不能になり、誤挿入が防止される。
【００３０】
このように、釦電池２５を正常状態に挿入した電池蓋２６をカセット蓋部４に対して閉じて係合片３６に係合突縁３４ａ2 に係合することにより閉じた状態で保持される。これにより釦電池２５は負極面２５ｂ側が電源回路基板２７の負極接点端子２８ｂに当接されると共に正極面２５ａの周縁が円弧状の正極接点端子２８ａに当接されて正常状態でセットされる。
【００３１】
このようにして、電池蓋２６を閉じて釦電池２５をセットした状態でカセット蓋部４を本体部２に対して閉じると、電池蓋２６の爪掛部３４ａ1 の先端部内面側、即ち、係合突縁３４ａ2 を形成した面と反対側の面側が、本体部２の前壁部の端縁面、即ち、飾り枠４１の前側部４１ａの一側部上面に凹部４３により形成した係合部４２の前面側に摺接状に対応される。
【００３２】
このように、電池蓋２６の爪掛部３４ａ1 は先端部内面側が本体部２の係合部４２に対応されることにより、係合突縁３４ａ2 がカセット蓋部４側の係合片３６から離れる方向への屈曲が阻止されて係合片３６に対する係合突縁３４ａ2 の係合が外れることなく、カセット蓋２６を閉じた状態では電池蓋２６の開放が防止される。
【００３３】
従って、テーププレーヤ１を落とす等、いかなる衝撃が加わっても電池蓋２６が開放することがなく、釦電池２５の飛び出しが防止される。
【００３４】
また、本例においてはカセット蓋部４の内面側に固定されたチューナ回路マウント基板２２を覆っているチューナカバー２３にはその前部に圧縮可能な弾性突起部材５１が配設されている。
【００３５】
この弾性突起部材５１は回路蓋部４を開いたとき、カセット蓋部４の内側においてカセットホルダ１３ａ，１３ｂに挿入保持されているテープカセットＣを押し出して傾斜状態になし、そのテープカセットＣの後部とカセット蓋部４の前面部４ｂとの間に間隙が生じることになってテープカセットＣを円滑に取り出すことができる。
【００３６】
また、カセット蓋部４を閉じた状態においては弾性突起部材５１は本体部２のカセット収納部２ａに収納されたテープカセットＣに押し潰された状態で圧着し、この弾性力及び摩擦力によるスタピライザー効果によってテープカセットＣはカセット収納部２ａ内に安定して保持される。
【００３７】
この弾性突起部材５１は一例として薄肉ゴムにより略帽体状に形成し、鍔部をチューナカバー２３に係合して取付けることができる。
【００３８】
以上、本発明の実施例を説明したが、本発明はこの実施例の限定されるものではなく、本発明の趣旨を逸脱しない範囲で種々変更できるものである。
【００３９】
また、本発明に係る電子機器は、前述した実施例の如きラジオ付きテープカセットプレーヤのみならず、種々の電子機器、例えば、音響記録及び再生装置、ディスクプレーヤ、ビデオテープレコーダ装置、ビデオカメラ装置等として構成することができる。
【００４０】
【発明の効果】
以上のように本発明は、本体部に対して蓋部が開閉可能に取り付けられ、この蓋部の内面側に釦電池を収納する電池収納部が設けられて成る電子機器において、蓋部に、電池収納部を開閉する電池蓋が起伏回動可能に取り付けられ、この電池蓋の回動自由端部側には、本体部に対して蓋部を閉じた状態で、本体部側に設けられた係合部に係合して電池蓋の開放を阻止する阻止部が設けられた構造としたことにより、機器を落とす等して大きな衝撃が加わった場合でも、電池蓋は開放されることなく釦電池の飛び出しが確実に防止され、釦電池の紛失等のおそれが解消される効果がある。
【００４２】
特に、本発明は携帯用の電子機器に適用してその効果が大である。
【図面の簡単な説明】
【図１】本発明の適用した一例のラジオ付きテープカセットプレーヤの分解斜視図である。
【図２】同、要部の拡大断面図。
【図３】同、電池収納部の平面図。
【図４】同、電池蓋の斜視図。
【図５】同、電池蓋の正面図。
【符号の説明】
１ラジオ付きテープカセットプレーヤ（電子機器）
２本体部
４カセット蓋部
２４電池収納部
２６電池蓋
２６ｂ電池挿入部
２７電源回路基板
２８ａ，２８ｂ正負接点端子
３３ａ，３３ｂ突縁部
３４ａ弾性部面
３４ａ1 爪掛部（阻止部材）
３４ａ2 係合突縁
３６係合片
４２係合部
４３凹部
【図１】
0003702470.tif 000002
【図２】
0003702470.tif 000003
【図３】
0003702470.tif 000004
【図４】
0003702470.tif 000005
【図５】
0003702470.tif 000006